(57)【要約】【課題】モータの絶縁抵抗の測定にかかる時間を短縮する。【解決手段】モータ駆動装置１０は、コンデンサＣａを有するコンバータ部１４と、複数の半導体スイッチング素子Ｓとを有し、コンデンサＣａのコンデンサ電圧Ｖｃを交流電圧に変換して複数のモータＭを駆動する複数のインバータ部１６と、コンデンサＣａの負極側の端子を大地に接続する第２スイッチＳＷ２と、対地間電圧Ｖｍを検出する第１検出部１８と、コンデンサ電圧Ｖｃを検出する第２検出部２０と、を備える。モータ駆動装置１０は、半導体スイッチング素子Ｓを制御して、測定対象となるモータＭの絶縁抵抗Ｒｍを測定できる測定状態にし、第１検出部１８が検出した複数の対地間電圧Ｖｍに基づいて対地間電圧Ｖｍの収束値Ｃを予測する。そして、予測した収束値Ｃとコンデンサ電圧Ｖｃとに基づいて、絶縁抵抗Ｒｍを算出する。【選択図】図３
2019095396.tif 000002
【特許請求の範囲】
【請求項１】
複数のモータを駆動するモータ駆動装置であって、
第１スイッチを介して交流電源から供給される交流電圧を直流電圧に整流する整流回路と、
前記整流回路で整流された直流電圧を平滑化するコンデンサと、
前記コンデンサの正極側の端子と前記モータのモータコイルとを接続する上アームの半導体スイッチング素子と、前記コンデンサの負極側の端子と前記モータコイルとを接続する下アームの半導体スイッチング素子とを有し、前記上アームの半導体スイッチング素子および前記下アームの半導体スイッチング素子のスイッチング動作により、前記コンデンサのコンデンサ電圧を交流電圧に変換して複数の前記モータを駆動する複数のインバータ部と、
前記コンデンサの前記正極側の端子および前記負極側の端子のうち一方の端子を大地に接続する第２スイッチと、
前記コンデンサの前記一方の端子と大地との間の対地間電流または対地間電圧を検出する第１検出部と、
前記コンデンサの前記コンデンサ電圧を検出する第２検出部と、
複数の前記インバータ部の各々の前記上アームの半導体スイッチング素子および前記下アームの半導体スイッチング素子をオフにして複数の前記モータの運転を停止し、前記第１スイッチをオフ、前記第２スイッチをオンにした後に、測定対象となる前記モータの前記モータコイルが接続された前記上アームの半導体スイッチング素子および前記下アームの半導体スイッチング素子のうち、前記コンデンサの他方の端子に接続されている方をオンにし、且つ、前記測定対象以外の前記モータの前記モータコイルが接続された前記上アームの半導体スイッチング素子および前記下アームの半導体スイッチング素子のうち、前記コンデンサの前記一方の端子に接続されている方をオンにさせて、前記測定対象となる前記モータの絶縁抵抗を測定できる測定状態にするスイッチ制御部と、
前記測定状態で、互いに異なる複数の検出タイミングで前記第１検出部が検出した複数の前記対地間電流または前記対地間電圧に基づいて、前記対地間電流または前記対地間電圧の収束値を予測する収束値予測部と、
前記収束値と、前記コンデンサ電圧とに基づいて、前記測定対象の前記モータの絶縁抵抗を算出する絶縁抵抗算出部と、
を備える、モータ駆動装置。
【請求項２】
請求項１に記載のモータ駆動装置であって、
前記収束値予測部は、前記収束値を予測した後に、前回の複数の前記検出タイミングのうち、少なくとも１つが異なる複数の前記検出タイミングで前記第１検出部が検出した複数の前記対地間電流または前記対地間電圧に基づいて、前記収束値を再度予測し、前回の前記収束値と今回の前記収束値との差が基準値以上の場合は前記収束値の予測を継続し、前記差が基準値より小さい場合は、前記収束値の予測を終了し、
前記絶縁抵抗算出部は、前記収束値の予測が終了した後に、前記絶縁抵抗を算出する、モータ駆動装置。
【請求項３】
請求項２に記載のモータ駆動装置であって、
前記絶縁抵抗算出部は、予測された複数の前記収束値のうち、最後に予測された前記収束値を用いて、前記絶縁抵抗を算出する、モータ駆動装置。
【請求項４】
請求項１〜３のいずれか１項に記載のモータ駆動装置であって、
前記収束値予測部は、以下の式（１）を用いて前記対地間電圧の前記収束値を算出する、モータ駆動装置。
（ただし、ｔ1、ｔ2、ｔ3は前記検出タイミング、Ｖｍ1、Ｖｍ2、Ｖｍ3は前記検出タイミングｔ1、ｔ2、ｔ3で検出された前記対地間電圧、Ｃ0は予め決められた定数である。検出タイミングｔ1〜ｔ3は、ｔ1が最も早いタイミング、ｔ3が最も遅いタイミングである。）
【数１】
2019095396.tif 000015
【請求項５】
請求項１〜３のいずれか１項に記載のモータ駆動装置であって、
前記収束値予測部は、以下の式（２）を用いて前記対地間電圧の前記収束値を算出する、モータ駆動装置。
（ただし、Ｖｍ1、Ｖｍ2、Ｖｍ3は前記検出タイミングｔ1、ｔ2、ｔ3で検出された前記対地間電圧である。検出タイミングｔ1〜ｔ3は、その時間間隔が一定値であり、且つ、ｔ1が最も早いタイミング、ｔ3が最も遅いタイミングである。）
【数２】
2019095396.tif 000016
【請求項６】
請求項１〜３のいずれか１項に記載のモータ駆動装置であって、
前記収束値予測部は、以下の式（３）を用いて前記対地間電流の前記収束値を算出する、モータ駆動装置。
（ただし、ｔ1、ｔ2、ｔ3は前記検出タイミング、Ｉｍ1、Ｉｍ2、Ｉｍ3は前記検出タイミングｔ1、ｔ2、ｔ3で検出された前記対地間電流、Ｃ0は予め決められた定数である。検出タイミングｔ1〜ｔ3は、ｔ1が最も早いタイミング、ｔ3が最も遅いタイミングである。）
【数３】
2019095396.tif 000017
【請求項７】
請求項１〜３のいずれか１項に記載のモータ駆動装置であって、
前記収束値予測部は、以下の式（４）を用いて前記対地間電流の前記収束値を算出する、モータ駆動装置。
（ただし、Ｉｍ1、Ｉｍ2、Ｉｍ3は前記検出タイミングｔ1、ｔ2、ｔ3で検出された前記対地間電流である。検出タイミングｔ1〜ｔ3は、その時間間隔が一定値であり、且つ、ｔ1が最も早いタイミング、ｔ3が最も遅いタイミングである。）
【数４】
2019095396.tif 000018
【請求項８】
複数のモータを駆動するモータ駆動装置が前記モータの絶縁抵抗を測定する測定方法であって、
前記モータ駆動装置は、
第１スイッチを介して交流電源から供給される交流電圧を直流電圧に整流する整流回路と、
前記整流回路で整流された直流電圧を平滑化するコンデンサと、
前記コンデンサの正極側の端子と前記モータのモータコイルとを接続する上アームの半導体スイッチング素子と、前記コンデンサの負極側の端子と前記モータコイルとを接続する下アームの半導体スイッチング素子とを有し、前記上アームの半導体スイッチング素子および前記下アームの半導体スイッチング素子のスイッチング動作により、前記コンデンサのコンデンサ電圧を交流電圧に変換して複数の前記モータを駆動する複数のインバータ部と、
前記コンデンサの前記正極側の端子および前記負極側の端子のうち一方の端子を大地に接続する第２スイッチと、
前記コンデンサの前記一方の端子と大地との間の対地間電流または対地間電圧を検出する第１検出部と、
前記コンデンサの前記コンデンサ電圧を検出する第２検出部と、
を備え、
複数の前記インバータ部の各々の前記上アームの半導体スイッチング素子および前記下アームの半導体スイッチング素子をオフにして複数の前記モータの運転を停止し、前記第１スイッチをオフ、前記第２スイッチをオンにした後に、測定対象となる前記モータの前記モータコイルが接続された前記上アームの半導体スイッチング素子および前記下アームの半導体スイッチング素子のうち、前記コンデンサの他方の端子に接続されている方をオンにし、且つ、前記測定対象以外の前記モータの前記モータコイルが接続された前記上アームの半導体スイッチング素子および前記下アームの半導体スイッチング素子のうち、前記コンデンサの前記一方の端子に接続されている方をオンにさせて、前記測定対象となる前記モータの絶縁抵抗を測定できる測定状態にするスイッチ制御ステップと、
前記測定状態で、互いに異なる複数の検出タイミングで前記第１検出部が検出した複数の前記対地間電流または前記対地間電圧に基づいて、前記対地間電流または前記対地間電圧の収束値を予測する収束値予測ステップと、
前記収束値と、前記コンデンサ電圧とに基づいて、前記測定対象の前記モータの絶縁抵抗を算出する絶縁抵抗算出ステップと、
を含む、測定方法。
【請求項９】
請求項８に記載の測定方法であって、
前記収束値予測ステップは、前記収束値を予測した後に、前回の複数の前記検出タイミングのうち、少なくとも１つが異なる複数の前記検出タイミングで前記第１検出部が検出した複数の前記対地間電流または前記対地間電圧に基づいて、前記収束値を再度予測し、前回の前記収束値と今回の前記収束値との差が基準値以上の場合は前記収束値の予測を継続し、前記差が基準値より小さい場合は、前記収束値の予測を終了し、
前記絶縁抵抗算出ステップは、前記収束値の予測が終了した後に、前記絶縁抵抗を算出する、測定方法。
【請求項１０】
請求項９に記載の測定方法であって、
前記絶縁抵抗算出ステップは、予測された複数の前記収束値のうち、最後に予測された前記収束値を用いて、前記絶縁抵抗を算出する、測定方法。
【請求項１１】
請求項８〜１０のいずれか１項に記載の測定方法であって、
前記収束値予測ステップは、以下の式（１）を用いて前記対地間電圧の前記収束値を算出する、測定方法。
（ただし、ｔ1、ｔ2、ｔ3は前記検出タイミング、Ｖｍ1、Ｖｍ2、Ｖｍ3は前記検出タイミングｔ1、ｔ2、ｔ3で検出された前記対地間電圧、Ｃ0は予め決められた定数である。検出タイミングｔ1〜ｔ3は、ｔ1が最も早いタイミング、ｔ3が最も遅いタイミングである。）
【数５】
2019095396.tif 000019
【請求項１２】
請求項８〜１０のいずれか１項に記載の測定方法であって、
前記収束値予測ステップは、以下の式（２）を用いて前記対地間電圧の前記収束値を算出する、測定方法。
（ただし、Ｖｍ1、Ｖｍ2、Ｖｍ3は前記検出タイミングｔ1、ｔ2、ｔ3で検出された前記対地間電圧である。検出タイミングｔ1〜ｔ3は、その時間間隔が一定値であり、且つ、ｔ1が最も早いタイミング、ｔ3が最も遅いタイミングである。）
【数６】
2019095396.tif 000020
【請求項１３】
請求項８〜１０のいずれか１項に記載の測定方法であって、
前記収束値予測ステップは、以下の式（３）を用いて前記対地間電流の前記収束値を算出する、測定方法。
（ただし、ｔ1、ｔ2、ｔ3は前記検出タイミング、Ｉｍ1、Ｉｍ2、Ｉｍ3は前記検出タイミングｔ1、ｔ2、ｔ3で検出された前記対地間電流、Ｃ0は予め決められた定数である。検出タイミングｔ1〜ｔ3は、ｔ1が最も早いタイミング、ｔ3が最も遅いタイミングである。）
【数７】
2019095396.tif 000021
【請求項１４】
請求項８〜１０のいずれか１項に記載の測定方法であって、
前記収束値予測ステップは、以下の式（４）を用いて前記対地間電流の前記収束値を算出する、測定方法。
（ただし、Ｉｍ1、Ｉｍ2、Ｉｍ3は前記検出タイミングｔ1、ｔ2、ｔ3で検出された前記対地間電流である。検出タイミングｔ1〜ｔ3は、その時間間隔が一定値であり、且つ、ｔ1が最も早いタイミング、ｔ3が最も遅いタイミングである。）
【数８】
2019095396.tif 000022
【発明の詳細な説明】
【技術分野】
【０００１】
本発明は、複数のモータを駆動するものであって、複数のモータの絶縁抵抗を測定するモータ駆動装置および測定方法に関する。
【背景技術】
【０００２】
下記に示す特許文献１には、インバータ部の半導体スイッチング素子を経由して流れる漏れ電流の影響を受けずに、モータの絶縁抵抗を測定することができるモータ駆動装置が開示されている。
【先行技術文献】
【特許文献】
【０００３】
【特許文献１】特開２０１５−１６９４７９号公報
【発明の概要】
【発明が解決しようとする課題】
【０００４】
ここで、モータの絶縁抵抗（寄生抵抗）を測定するためには、絶縁抵抗を流れる電流が収束するまで待つ必要がある。収束するまでに要する待ち時間は、モータの寄生容量の大きさ等によって変動するため、待ち時間を、予め決められた充分に長い時間に設定していた。そのため、絶縁抵抗の測定に時間がかかるという問題がある。
【０００５】
そこで、本発明は、モータの絶縁抵抗の測定にかかる時間を短縮するモータ駆動装置および測定方法を提供することを目的とする。
【課題を解決するための手段】
【０００６】
本発明の第１の態様は、複数のモータを駆動するモータ駆動装置であって、第１スイッチを介して交流電源から供給される交流電圧を直流電圧に整流する整流回路と、前記整流回路で整流された直流電圧を平滑化するコンデンサと、前記コンデンサの正極側の端子と前記モータのモータコイルとを接続する上アームの半導体スイッチング素子と、前記コンデンサの負極側の端子と前記モータコイルとを接続する下アームの半導体スイッチング素子とを有し、前記上アームの半導体スイッチング素子および前記下アームの半導体スイッチング素子のスイッチング動作により、前記コンデンサのコンデンサ電圧を交流電圧に変換して複数の前記モータを駆動する複数のインバータ部と、前記コンデンサの前記正極側の端子および前記負極側の端子のうち一方の端子を大地に接続する第２スイッチと、前記コンデンサの前記一方の端子と大地との間の対地間電流または対地間電圧を検出する第１検出部と、前記コンデンサの前記コンデンサ電圧を検出する第２検出部と、複数の前記インバータ部の各々の前記上アームの半導体スイッチング素子および前記下アームの半導体スイッチング素子をオフにして複数の前記モータの運転を停止し、前記第１スイッチをオフ、前記第２スイッチをオンにした後に、測定対象となる前記モータの前記モータコイルが接続された前記上アームの半導体スイッチング素子および前記下アームの半導体スイッチング素子のうち、前記コンデンサの他方の端子に接続されている方をオンにし、且つ、前記測定対象以外の前記モータの前記モータコイルが接続された前記上アームの半導体スイッチング素子および前記下アームの半導体スイッチング素子のうち、前記コンデンサの前記一方の端子に接続されている方をオンにさせて、前記測定対象となる前記モータの絶縁抵抗を測定できる測定状態にするスイッチ制御部と、前記測定状態で、互いに異なる複数の検出タイミングで前記第１検出部が検出した複数の前記対地間電流または前記対地間電圧に基づいて、前記対地間電流または前記対地間電圧の収束値を予測する収束値予測部と、前記収束値と、前記コンデンサ電圧とに基づいて、前記測定対象の前記モータの絶縁抵抗を算出する絶縁抵抗算出部と、を備える。
【０００７】
本発明の第２の態様は、複数のモータを駆動するモータ駆動装置が前記モータの絶縁抵抗を測定する測定方法であって、前記モータ駆動装置は、第１スイッチを介して交流電源から供給される交流電圧を直流電圧に整流する整流回路と、前記整流回路で整流された直流電圧を平滑化するコンデンサと、前記コンデンサの正極側の端子と前記モータのモータコイルとを接続する上アームの半導体スイッチング素子と、前記コンデンサの負極側の端子と前記モータコイルとを接続する下アームの半導体スイッチング素子とを有し、前記上アームの半導体スイッチング素子および前記下アームの半導体スイッチング素子のスイッチング動作により、前記コンデンサのコンデンサ電圧を交流電圧に変換して複数の前記モータを駆動する複数のインバータ部と、前記コンデンサの前記正極側の端子および前記負極側の端子のうち一方の端子を大地に接続する第２スイッチと、前記コンデンサの前記一方の端子と大地との間の対地間電流または対地間電圧を検出する第１検出部と、前記コンデンサの前記コンデンサ電圧を検出する第２検出部と、を備え、複数の前記インバータ部の各々の前記上アームの半導体スイッチング素子および前記下アームの半導体スイッチング素子をオフにして複数の前記モータの運転を停止し、前記第１スイッチをオフ、前記第２スイッチをオンにした後に、測定対象となる前記モータの前記モータコイルが接続された前記上アームの半導体スイッチング素子および前記下アームの半導体スイッチング素子のうち、前記コンデンサの他方の端子に接続されている方をオンにし、且つ、前記測定対象以外の前記モータの前記モータコイルが接続された前記上アームの半導体スイッチング素子および前記下アームの半導体スイッチング素子のうち、前記コンデンサの前記一方の端子に接続されている方をオンにさせて、前記測定対象となる前記モータの絶縁抵抗を測定できる測定状態にするスイッチ制御ステップと、前記測定状態で、互いに異なる複数の検出タイミングで前記第１検出部が検出した複数の前記対地間電流または前記対地間電圧に基づいて、前記対地間電流または前記対地間電圧の収束値を予測する収束値予測ステップと、前記収束値と、前記コンデンサ電圧とに基づいて、前記測定対象の前記モータの絶縁抵抗を算出する絶縁抵抗算出ステップと、を含む。
【発明の効果】
【０００８】
本発明によれば、モータの絶縁抵抗の測定にかかる時間を短縮することができる。
【図面の簡単な説明】
【０００９】
【図１】実施の形態におけるモータ駆動装置の構成を示す図である。
【図２】モータ駆動装置が測定準備状態になったときにおける、モータの絶縁抵抗の接続を等価回路で表した等価回路図である。
【図３】図１に示すモータ駆動装置が測定状態になったときの電流の流れを示す図である。
【図４】図１に示すモータ駆動装置の測定状態等における、モータの絶縁抵抗の接続を等価回路で表した等価回路図である。
【図５】測定状態時における対地間電圧と時間との関係の一例を示す波形図であり、収束予測部による対地間電圧の収束値の予測を説明するための図である。
【図６】測定状態時における対地間電流と時間との関係の一例を示す波形図であり、収束予測部による対地間電流の収束値の予測を説明するための図である。
【図７】モータ駆動装置による絶縁抵抗の測定動作を示すフローチャートである。
【図８】変形例２を説明するための図であり、第１検出部による対地間電圧または対地間電流の検出タイミングの一例を示す図である。
【発明を実施するための形態】
【００１０】
本発明に係るモータ駆動装置および測定方法について、好適な実施の形態を掲げ、添付の図面を参照しながら以下、詳細に説明する。
【００１１】
［実施の形態］
＜モータ駆動装置１０の全体構成＞
図１は、実施の形態におけるモータ駆動装置１０の構成を示す図である。モータ駆動装置１０は、複数のモータＭを駆動させる。モータ駆動装置１０は、第１スイッチＳＷ１、コンバータ部１４、複数のインバータ部１６、第２スイッチＳＷ２、第１検出部１８、第２検出部２０、および、制御部２２を備える。
【００１２】
第１スイッチＳＷ１は、交流電源１２からの交流電圧の供給をオン／オフするためのスイッチである。
【００１３】
コンバータ部１４は、第１スイッチＳＷ１を介して交流電源１２から供給される交流電圧を直流電圧に変換する。コンバータ部１４は、第１スイッチＳＷ１を介して供給される交流電源１２の交流電圧を直流電圧に整流する整流回路Ｒｅと、整流回路Ｒｅで整流された直流電圧を平滑化するコンデンサＣａとを有する。
【００１４】
複数のインバータ部１６は、コンバータ部１４で変換された直流電圧（具体的には、コンデンサＣａの電圧）Ｖｃを交流電圧に変換して、複数のモータＭを駆動させる。
【００１５】
本実施の形態では、説明を簡単にするため、モータＭの数を３つにし、モータ駆動装置１０は、３つのモータＭを駆動させる３つのインバータ部１６を備えるものとする。３つのインバータ部１６を互いに区別するため、３つのインバータ部１６の各々を１６ａ、１６ｂ、１６ｃと呼ぶ場合がある。また、インバータ部１６ａで駆動されるモータＭをＭ１、インバータ部１６ｂで駆動されるモータＭをＭ２、インバータ部１６ｃで駆動されるモータＭをＭ３と呼ぶ場合がある。
【００１６】
なお、３つのモータＭ（Ｍ１〜Ｍ３）の各々の３相（ＵＶＷ）のモータコイルＣｕ、Ｃｖ、Ｃｗと大地との間の抵抗を絶縁抵抗（寄生抵抗）Ｒｍと呼ぶ。この３つの絶縁抵抗Ｒｍを互いに区別するため、モータＭ１のモータコイルＣｕ、Ｃｖ、Ｃｗと大地との間の絶縁抵抗ＲｍをＲｍ１、モータＭ２のモータコイルＣｕ、Ｃｖ、Ｃｗと大地との間の絶縁抵抗ＲｍをＲｍ２、モータＭ３のモータコイルＣｕ、Ｃｖ、Ｃｗと大地との間の絶縁抵抗ＲｍをＲｍ３と呼ぶ場合がある。
【００１７】
３つのインバータ部１６（１６ａ、１６ｂ、１６ｃ）は、同一の構成を有するので、インバータ部１６ａの構成についてのみ説明する。インバータ部１６ａは、複数の半導体スイッチング素子Ｓを有する。本実施の形態では、３相（ＵＶＷ）のモータコイルＣｕ、Ｃｖ、Ｃｗを有するモータＭを用いるので、複数の半導体スイッチング素子Ｓは、Ｕ相に応じた上アームの半導体スイッチング素子Ｓｕｕおよび下アームの半導体スイッチング素子Ｓｕｄと、Ｖ相に応じた上アームの半導体スイッチング素子Ｓｖｕおよび下アームの半導体スイッチング素子Ｓｖｄと、Ｗ相に応じた上アームの半導体スイッチング素子Ｓｗｕおよび下アームの半導体スイッチング素子Ｓｗｄとを有する。
【００１８】
３相の上アームの半導体スイッチング素子Ｓｕｕ、Ｓｖｕ、Ｓｗｕは、コンデンサＣａの正極側の端子とモータＭ１の３相（Ｕ、Ｖ、Ｗ）のモータコイルＣｕ、Ｃｖ、Ｃｗとを接続する。３相の下アームの半導体スイッチング素子Ｓｕｄ、Ｓｖｄ、Ｓｗｄは、コンデンサＣａの負極型端子とモータＭ１の３相のモータコイルＣｕ、Ｃｖ、Ｃｗとを接続する。
【００１９】
相毎に、上アームの半導体スイッチング素子Ｓと下アームの半導体スイッチング素子Ｓとは直列に接続されており、直列に接続された上アームの半導体スイッチング素子Ｓおよび下アームの半導体スイッチング素子Ｓは、コンデンサＣａと並列に接続されている。具体的には、直列に接続されたＵ相の半導体スイッチング素子Ｓｕｕ、Ｓｕｄは、コンデンサＣａと並列に接続されている。同様に、直列に接続されたＶ相の半導体スイッチング素子Ｓｖｕ、Ｓｖｄは、コンデンサＣａと並列に接続され、直列に接続されたＷ相の半導体スイッチング素子Ｓｗｕ、Ｓｗｄは、コンデンサＣａと並列に接続されている。
【００２０】
モータＭ１のＵ相のモータコイルＣｕは、上アームの半導体スイッチング素子Ｓｕｕのエミッタおよび下アームの半導体スイッチング素子Ｓｕｄのコレクタに接続されている。モータＭ１のＶ相のモータコイルＣｖは、上アームの半導体スイッチング素子Ｓｖｕのエミッタおよび下アームの半導体スイッチング素子Ｓｖｄのコレクタに接続されている。モータＭ１のＷ相のモータコイルＣｗは、上アームの半導体スイッチング素子Ｓｗｕのエミッタおよび下アームの半導体スイッチング素子Ｓｗｄのコレクタに接続されている。
【００２１】
インバータ部１６ａは、３相の上アームの半導体スイッチング素子Ｓｕｕ、Ｓｖｕ、Ｓｗｕおよび３相の下アームの半導体スイッチング素子Ｓｕｄ、Ｓｖｄ、Ｓｗｄのスイッチング動作（オン／オフ動作）により、コンデンサＣａの電圧（以下、コンデンサ電圧と呼ぶ。）Ｖｃを交流電圧に変換してモータＭ１を駆動させる。
【００２２】
第２スイッチＳＷ２は、絶縁抵抗Ｒｍ（Ｒｍ１、Ｒｍ２、Ｒｍ３）を測定するために、コンデンサＣａの一方の端子（本実施の形態では、コンデンサＣａの負極側の端子）を大地に接続するためのスイッチである。
【００２３】
第１検出部１８は、第２スイッチＳＷ２のオン時に、コンデンサＣａの一方の端子と大地との間の電圧（以下、対地間電圧と呼ぶ。）Ｖｍを検出するセンサである。コンデンサＣａの一方の端子（負極側の端子）と大地との間で、第２スイッチＳＷ２と直列に検出抵抗ｒ１が接続されている。第１検出部１８は、検出抵抗ｒ１の電圧Ｖｍを測定することで、対地間電圧Ｖｍを検出する。なお、検出抵抗ｒ１の抵抗値は既知なので、第１検出部１８は、検出した対地間電圧Ｖｍから、コンデンサＣａの一方の端子と大地との間を流れる電流（以下、対地間電流と呼ぶ。）Ｉｍを検出してもよい。
【００２４】
第２検出部２０は、コンデンサＣａの両端子間のコンデンサ電圧Ｖｃを検出するセンサである。コンデンサＣａと並列に検出抵抗ｒ２が接続されている。第２検出部２０は、検出抵抗ｒ２の電圧を測定することで、コンデンサ電圧Ｖｃを検出する。
【００２５】
制御部２２は、モータ駆動装置１０の各部（第１スイッチＳＷ１、第２スイッチＳＷ２、複数の半導体スイッチング素子Ｓ等）を制御してモータＭ（Ｍ１〜Ｍ３）等を駆動させるとともに、モータＭの絶縁抵抗Ｒｍの測定を行う。この制御部２２は、ＣＰＵ等のプロセッサおよびメモリ等によって構成される。
【００２６】
制御部２２は、３つのモータＭ（Ｍ１〜Ｍ３）のうち、いずれか１つのモータＭを測定対象として選択し、選択した測定対象となる１つのモータＭの絶縁抵抗Ｒｍを測定する。したがって、測定対象として選択されるモータＭを切り換えることで、全てのモータＭ（Ｍ１〜Ｍ３）の絶縁抵抗Ｒｍ（Ｒｍ１〜Ｒｍ３）を測定することができる。
【００２７】
制御部２２は、測定対象選択部３０、スイッチ制御部３２、収束値予測部３４、および、絶縁抵抗算出部３６を有する。
【００２８】
測定対象選択部３０は、測定対象となるモータＭを選択する。この測定対象となるモータＭの選択は、ランダムであってもよいし、予め決められた順番に基づいてもよい。測定対象選択部３０は、選択した測定対象となるモータＭを示す情報を、スイッチ制御部３２に出力する。
【００２９】
スイッチ制御部３２は、第１スイッチＳＷ１、第２スイッチＳＷ２、および、複数の半導体スイッチング素子Ｓの各々のオン／オフを制御する。スイッチ制御部３２は、絶縁抵抗Ｒｍを測定する際には、第１スイッチＳＷ１、第２スイッチＳＷ２、および、複数の半導体スイッチング素子Ｓの各々を制御して、測定対象として選択されたモータＭの絶縁抵抗Ｒｍを測定できる測定状態にする。
【００３０】
まず、スイッチ制御部３２は、全ての（３つの）インバータ部１６（１６ａ〜１６ｃ）の各々の複数の半導体スイッチング素子Ｓ（Ｓｕｕ、Ｓｖｕ、Ｓｗｕ、Ｓｕｄ、Ｓｖｄ、Ｓｗｄ）を全てオフ状態にすることで、全てのモータＭ（Ｍ１〜Ｍ３）の運転を停止させる。
【００３１】
そして、スイッチ制御部３２は、第１スイッチＳＷ１をオフ状態にし、第２スイッチＳＷ２をオン状態にする。これにより、交流電源１２からの交流電圧がモータ駆動装置１０に供給されない状態になるとともに、コンデンサＣａの一方の端子（本実施の形態では、コンデンサＣａの負極側の端子）が大地と接続された状態になる。これにより、モータ駆動装置１０は、測定準備状態になる。
【００３２】
図２は、モータ駆動装置１０が測定準備状態になったとき（つまり、全てのインバータ部１６の複数の半導体スイッチング素子Ｓが全てオフ状態、第１スイッチＳＷ１がオフ状態、第２スイッチＳＷ２がオン状態のとき）における、モータＭ（Ｍ１〜Ｍ３）の絶縁抵抗Ｒｍ（Ｒｍ１〜Ｒｍ３）の接続を等価回路で表した等価回路図である。
【００３３】
ここで、図２に示すＲＵ−ＩＧＢＴ１は、インバータ部１６ａのオフ状態時の上アームの３つの半導体スイッチング素子Ｓｕｕ、Ｓｖｕ、Ｓｗｕの等価絶縁抵抗を示している。ＲＵ−ＩＧＢＴ２は、インバータ部１６ｂのオフ状態時の上アームの３つの半導体スイッチング素子Ｓｕｕ、Ｓｖｕ、Ｓｗｕの等価絶縁抵抗を示している。ＲＵ−ＩＧＢＴ３は、インバータ部１６ｃのオフ状態時の上アームの３つの半導体スイッチング素子Ｓｕｕ、Ｓｖｕ、Ｓｗｕの等価絶縁抵抗を示している。なお、等価絶縁抵抗ＲＵ−ＩＧＢＴ１、ＲＵ−ＩＧＢＴ２、ＲＵ−ＩＧＢＴ３は、インバータ部１６ａ、１６ｂ、１６ｃの上アームの３つの半導体スイッチング素子Ｓｕｕ、Ｓｖｕ、Ｓｗｕのコレクタとエミッタとの間に印加されている電圧を、オフ状態でコレクタからエミッタに流れる漏れ電流で除算したものである。
【００３４】
また、図２に示すＲＤ−ＩＧＢＴ１は、インバータ部１６ａのオフ状態時の下アームの３つの半導体スイッチング素子Ｓｕｄ、Ｓｖｄ、Ｓｗｄの等価絶縁抵抗を示している。ＲＤ−ＩＧＢＴ２は、インバータ部１６ｂのオフ状態時の下アームの３つの半導体スイッチング素子Ｓｕｄ、Ｓｖｄ、Ｓｗｄの等価絶縁抵抗を示している。ＲＤ−ＩＧＢＴ３は、インバータ部１６ｃのオフ状態時の下アームの３つの半導体スイッチング素子Ｓｕｄ、Ｓｖｄ、Ｓｗｄの等価絶縁抵抗を示している。なお、等価絶縁抵抗ＲＤ−ＩＧＢＴ１、ＲＤ−ＩＧＢＴ２、ＲＤ−ＩＧＢＴ３は、インバータ部１６ａ、１６ｂ、１６ｃの下アームの３つの半導体スイッチング素子Ｓｕｄ、Ｓｖｄ、Ｓｗｄのコレクタとエミッタとの間に印加されている電圧を、オフ状態でコレクタからエミッタに流れる漏れ電流で除算したものである。
【００３５】
スイッチ制御部３２は、モータ駆動装置１０を測定準備状態にすると、測定対象選択部３０が選択した測定対象となるモータＭを示す情報に基づいて、少なくとも測定対象のモータＭを駆動するインバータ部１６の半導体スイッチング素子Ｓを制御する。この制御については、後で具体的に説明するが、簡単に説明すると、スイッチ制御部３２は、３つのモータＭの絶縁抵抗Ｒｍのうち測定対象のモータＭの絶縁抵抗Ｒｍのみに、コンデンサ電圧Ｖｃが印加されるように（コンデンサＣａからの電流が流れるように）、少なくとも測定対象のモータＭを駆動するインバータ部１６の半導体スイッチング素子Ｓを制御する。
【００３６】
これにより、モータ駆動装置１０は、測定対象となるモータＭの絶縁抵抗Ｒｍを測定することができる測定状態となる。このときの、対地間電圧Ｖｍが第１検出部１８によって検出される。なお、第１検出部１８は、対地間電流Ｉｍを検出してもよい。この対地間電流Ｉｍは、測定状態のときに、測定対象となるモータＭの絶縁抵抗Ｒｍを流れる電流である。
【００３７】
収束値予測部３４は、測定状態で、互いに異なる複数の検出タイミングｔで第１検出部１８が検出した複数の対地間電圧Ｖｍまたは対地間電流Ｉｍに基づいて、対地間電圧Ｖｍまたは対地間電流Ｉｍの収束値Ｃを予測する。この収束値予測部３４については後で詳しく説明する。
【００３８】
絶縁抵抗算出部３６は、収束値予測部３４が予測した対地間電圧Ｖｍまたは対地間電流Ｉｍの収束値Ｃと、第２検出部２０が検出したコンデンサ電圧Ｖｃと、検出抵抗ｒ１とに基づいて、絶縁抵抗Ｒｍを算出する。
【００３９】
＜スイッチ制御部３２の具体的な制御について＞
次に、スイッチ制御部３２の制御について詳しく説明する。
【００４０】
スイッチ制御部３２は、モータ駆動装置１０を測定準備状態にすると、測定対象選択部３０が選択した測定対象となるモータＭに接続されているインバータ部１６に関しては、複数の半導体スイッチング素子Ｓのうち、コンデンサＣａの他方の端子（第２スイッチＳＷ２を介して大地に接続されているコンデンサＣａの一方の端子と反対側の端子）に接続されている少なくとも１つの半導体スイッチング素子Ｓをオン状態にする。これにより、測定対象となるモータＭのモータコイルＣｕ、Ｃｖ、Ｃｗは、コンデンサＣａの他方の端子と同電位になる。
【００４１】
本実施の形態では、コンデンサＣａの一方の端子を負極側の端子とするので、スイッチ制御部３２は、測定対象となるモータＭに接続されたインバータ部１６の上アームの複数の半導体スイッチング素子Ｓｕｕ、Ｓｖｕ、Ｓｗｕのうち少なくとも１つをオン状態にさせればよい。したがって、測定対象となるモータＭのモータコイルＣｕ、Ｃｖ、Ｃｗは、コンデンサＣａの正極側の端子と同電位になる。このとき、上アームの複数の半導体スイッチング素子Ｓｕｕ、Ｓｖｕ、Ｓｗｕのうち、オン状態にさせる半導体スイッチング素子Ｓは、Ｕ相、Ｖ相、Ｗ相のうちどの相の半導体スイッチング素子Ｓであってもよい。
【００４２】
図３に示す例では、測定対象であるモータＭがモータＭ１のときに、インバータ部１６ａのＵ相の上アームの半導体スイッチング素子Ｓｕｕをオン状態にさせた状態を示している。このようにすることで、測定対象となるモータＭ１と接続されたインバータ部１６ａに関しては、コンデンサＣａ、オン状態にされた上アームの半導体スイッチング素子Ｓ（図３に示す例では、半導体スイッチング素子Ｓｕｕ）、測定対象であるモータＭ１のモータコイルＣｕ、Ｃｖ、Ｃｗと大地との間の絶縁抵抗Ｒｍ１、および、検出抵抗ｒ１を経由する閉回路が形成される。
【００４３】
また、スイッチ制御部３２は、測定対象選択部３０が選択した測定対象となるモータＭ以外のモータＭに接続されているインバータ部１６に関しては、複数の半導体スイッチング素子Ｓのうち、コンデンサＣａの一方の端子（第２スイッチＳＷ２を介して大地に接続されているコンデンサＣａの一方の端子）に接続されている少なくとも１つの半導体スイッチング素子Ｓをオン状態にする。これにより、測定対象以外のモータＭのモータコイルＣｕ、Ｃｖ、Ｃｗは、全てコンデンサＣａの一方の端子と同電位になる。
【００４４】
本実施の形態では、コンデンサＣａの一方の端子を負極側の端子とするので、スイッチ制御部３２は、測定対象以外のモータＭに接続されたインバータ部１６の下アームの複数の半導体スイッチング素子Ｓｕｄ、Ｓｖｄ、Ｓｗｄのうち少なくとも１つをオン状態にさせればよい。したがって、測定対象以外のモータＭのモータコイルＣｕ、Ｃｖ、Ｃｗは、コンデンサＣａの負極側の端子と同電位になる。このとき、下アームの複数の半導体スイッチング素子Ｓｕｄ、Ｓｖｄ、Ｓｗｄのうち、オン状態にさせる半導体スイッチング素子Ｓは、Ｕ相、Ｖ相、Ｗ相のうちどの相の半導体スイッチング素子Ｓであってもよい。
【００４５】
図３に示す例では、インバータ部１６ｂのＶ相の下アームの半導体スイッチング素子Ｓｖｄをオン状態に、インバータ部１６ｃのＷ相の下アームの半導体スイッチング素子Ｓｗｄをオン状態させた状態を示している。このようにすることで、測定対象以外のモータＭ２、Ｍ３を経由して検出抵抗ｒ１に流れる不要な電流を無くすことができる。
【００４６】
図４は、図２に示す等価回路図において、測定対象であるモータＭ１を駆動するインバータ部１６ａの上アームの半導体スイッチング素子Ｓをオン、測定対象以外のモータＭ２、Ｍ３を駆動するインバータ部１６ｂ、１６ｃの下アームの半導体スイッチング素子Ｓをオンにさせたときの状態を示す等価回路図である。
【００４７】
図４は、図２のインバータ部１６ａの上アームの等価絶縁抵抗ＲＵ−ＩＧＢＴ１、インバータ部１６ｂの下アームの等価絶縁抵抗ＲＤ−ＩＧＢＴ２、および、インバータ部１６ｃの下アームの等価絶縁抵抗ＲＤ−ＩＧＢＴ３がショートした等価回路図となっている。図４から明らかなように、インバータ部１６ａの下アームの等価絶縁抵抗ＲＤ−ＩＧＢＴ１、インバータ部１６ｂの上アームの等価絶縁抵抗ＲＵ−ＩＧＢＴ２、および、インバータ部１６ｃの上アームの等価絶縁抵抗ＲＵ−ＩＧＢＴ３は、いずれもコンデンサＣａの正極側の端子と負極側の端子とに接続された状態となっている。したがって、これらの等価絶縁抵抗ＲＤ−ＩＧＢＴ１、ＲＵ−ＩＧＢＴ２、ＲＵ−ＩＧＢＴ３を経由して流れる漏れ電流は、コンデンサＣａの正極側の端子から負極側の端子へ流れるだけであって、検出抵抗ｒ１には流れない。そのため、測定対象であるモータＭ１の絶縁抵抗Ｒｍ１の測定には、一切影響がないことがわかる。つまり、絶縁抵抗Ｒｍ１の測定には、これらの等価絶縁抵抗ＲＤ−ＩＧＢＴ１、ＲＵ−ＩＧＢＴ２、ＲＵ−ＩＧＢＴ３は無いものと見做すことができる。
【００４８】
また、測定対象以外のモータＭ２、Ｍ３の絶縁抵抗Ｒｍ２、Ｒｍ３は、第１検出部１８と並列に接続された状態となる。しかしながら、検出抵抗ｒ１の抵抗値が絶縁抵抗Ｒｍ２、Ｒｍ３に比べて十分に小さい値であれば、電圧検出、電流検出に与える影響を無視することができる。そのため、絶縁抵抗Ｒｍ１の測定には、測定対象以外のモータＭ２、Ｍ３の絶縁抵抗Ｒｍ２、Ｒｍ３は無いものと見做すことができる。なお、全ての下アームの半導体スイッチング素子Ｓをオフして測定を行い、全てのモータＭ（Ｍ１〜Ｍ３）の絶縁抵抗Ｒｍ（Ｒｍ１〜Ｒｍ３）が並列になった場合の抵抗値を用いてＲｍ２、Ｒｍ３の影響を補正してもよい。
【００４９】
したがって、絶縁抵抗算出部３６による測定対象となるモータＭの絶縁抵抗Ｒｍの算出精度が向上する。
【００５０】
＜収束値予測部３４の具体的な予測処理について＞
次に、収束値予測部３４について詳しく説明する。まず、対地間電圧Ｖｍの収束値Ｃの予測を説明してから、対地間電流Ｉｍの収束値Ｃの予測について説明する。
【００５１】
＜対地間電圧Ｖｍの収束値Ｃの予測＞
図５は、第１検出部１８が検出した対地間電圧Ｖｍと時間との関係の一例を示す波形図である。測定対象のモータＭの絶縁抵抗Ｒｍを測定できる測定状態になると、対地間電圧Ｖｍは、コンデンサＣａの電圧が検出抵抗ｒ１に印加されてから、時間の経過とともに減少していき、最後は、ある値にほぼ収束する。
【００５２】
収束値予測部３４は、互いに異なる複数の検出タイミングｔで第１検出部１８が検出した複数の対地間電圧Ｖｍに基づいて、対地間電圧Ｖｍの収束値Ｃを予測する。図５のｔ1〜ｔ3は、第１検出部１８の検出タイミングｔを示している。Ｖｍ1は、検出タイミングｔ1で第１検出部１８が検出した対地間電圧Ｖｍを示し、Ｖｍ2は、検出タイミングｔ2で第１検出部１８が検出した対地間電圧Ｖｍを示し、Ｖｍ3は、検出タイミングｔ3で第１検出部１８が検出した対地間電圧Ｖｍを示している。
【００５３】
収束値予測部３４は、この３つの検出タイミングｔ（ｔ1〜ｔ3）と、３つの検出タイミングｔ（ｔ1〜ｔ3）の各々で検出された３つの対地間電圧Ｖｍ（Ｖｍ1〜Ｖｍ3）とから対地間電圧Ｖｍの収束値Ｃを予測する。
【００５４】
ここで、検出タイミングｔと検出タイミングｔで検出された対地間電圧Ｖｍとの関係は、以下に示す式（１）で表すことができる。この式（１）で示すＣが収束値であり、Ａおよびｂは、測定時のシステムの寄生容量や電圧等で定まる定数である。
【００５５】
【数１】
2019095396.tif 000003
【００５６】
したがって、検出タイミングｔ1と対地間電圧Ｖｍ1との関係は、以下に示す式（２）で表される。同様に、検出タイミングｔ2と対地間電圧Ｖｍ2との関係は、以下に示す式（３）で表され、検出タイミングｔ3と対地間電圧Ｖｍ3との関係は、以下に示す式（４）で表される。
【００５７】
【数２】
2019095396.tif 000004
【００５８】
この式（２）〜式（４）とから、以下に示す式（５）を導くことができる。
【００５９】
【数３】
2019095396.tif 000005
【００６０】
この式（５）を、Ｃ＝Ｃ0、の近傍でテーラー展開を行い収束値Ｃについて整理すると、以下に示す式（６）を導くことができる。なお、このＣ0は、予め決められた定数である。
【００６１】
【数４】
2019095396.tif 000006
【００６２】
したがって、収束値予測部３４は、式（６）を用いて、互いに異なる複数の検出タイミングｔで第１検出部１８が検出した複数の対地間電圧Ｖｍから、対地間電圧Ｖｍの収束値Ｃを予測（算出）することができる。
【００６３】
ここで、検出タイミングｔ（ｔ1〜ｔ3）の時間間隔を一定値Δｔとした場合、つまり、ｔ2＝ｔ1＋Δｔ、ｔ3＝ｔ2＋Δｔ＝ｔ1＋２×Δｔ、の場合は、上記した式（５）は、以下に示す式（７）で表すことができる。
【００６４】
【数５】
2019095396.tif 000007
【００６５】
この式（７）を収束値Ｃについて整理すると、以下に示す式（８）を導くことができる。
【００６６】
【数６】
2019095396.tif 000008
【００６７】
したがって、収束値予測部３４は、検出タイミングｔ（ｔ1〜ｔ3）の時間間隔が一定値Δｔの場合は、式（８）を用いて、互いに異なる複数の検出タイミングｔで第１検出部１８が検出した複数の対地間電圧Ｖｍから、対地間電圧Ｖｍの収束値Ｃを予測（算出）することができる。これにより、収束値Ｃの算出処理（予測処理）が簡単になる。
【００６８】
＜対地間電流Ｉｍの収束値Ｃの予測＞
図６は、第１検出部１８が検出した対地間電流Ｉｍと時間との関係の一例を示す波形図である。測定対象のモータＭの絶縁抵抗Ｒｍを測定できる測定状態になると、対地間電流Ｉｍは、時間の経過とともに減少していき、最後は、ある値にほぼ収束する。
【００６９】
収束値予測部３４は、互いに異なる複数の検出タイミングｔで第１検出部１８が検出した複数の対地間電流Ｉｍに基づいて、対地間電流Ｉｍの収束値Ｃを予測する。図５のｔ1〜ｔ3は、第１検出部１８の検出タイミングｔを示している。Ｉｍ1は、検出タイミングｔ1で第１検出部１８が検出した対地間電流Ｉｍを示し、Ｉｍ2は、検出タイミングｔ2で第１検出部１８が検出した対地間電流Ｉｍを示し、Ｉｍ3は、検出タイミングｔ3で第１検出部１８が検出した対地間電流Ｉｍを示している。
【００７０】
収束値予測部３４は、この３つの検出タイミングｔ（ｔ1〜ｔ3）と、３つの検出タイミングｔ（ｔ1〜ｔ3）の各々で検出された３つの対地間電流Ｉｍ（Ｉｍ1〜Ｉｍ3）とから対地間電流Ｉｍの収束値Ｃを予測する。
【００７１】
ここで、検出タイミングｔと検出タイミングｔで検出された対地間電流Ｉｍとの関係は、以下に示す式（９）で表すことができる。この式（９）で示すＣが収束値であり、Ａおよびｂは、測定時のシステムの寄生容量や電圧等で定まる定数である。
【００７２】
【数７】
2019095396.tif 000009
【００７３】
したがって、検出タイミングｔ1と対地間電流Ｉｍ1との関係は、以下に示す式（１０）で表される。同様に、検出タイミングｔ2と対地間電流Ｉｍ2との関係は、以下に示す式（１１）で表され、検出タイミングｔ3と対地間電流Ｉｍ3との関係は、以下に示す式（１２）で表される。
【００７４】
【数８】
2019095396.tif 000010
【００７５】
この式（１０）〜式（１２）とから、以下に示す式（１３）を導くことができる。
【００７６】
【数９】
2019095396.tif 000011
【００７７】
この式（１３）を、Ｃ＝Ｃ0、の近傍でテーラー展開を行い収束値Ｃについて整理すると、以下に示す式（１４）を導くことができる。なお、このＣ0は、予め決められた定数である。
【００７８】
【数１０】
2019095396.tif 000012
【００７９】
したがって、収束値予測部３４は、式（１４）を用いて、互いに異なる複数の検出タイミングｔで第１検出部１８が検出した複数の対地間電流Ｉｍから、対地間電流Ｉｍの収束値Ｃを予測（算出）することができる。
【００８０】
ここで、検出タイミングｔ（ｔ1〜ｔ3）の時間間隔を一定値Δｔとした場合、つまり、ｔ2＝ｔ1＋Δｔ、ｔ3＝ｔ2＋Δｔ＝ｔ1＋２×Δｔ、の場合は、上記した式（１３）は、以下に示す式（１５）で表すことができる。
【００８１】
【数１１】
2019095396.tif 000013
【００８２】
この式（１５）を収束値Ｃについて整理すると、以下に示す式（１６）を導くことができる。
【００８３】
【数１２】
2019095396.tif 000014
【００８４】
したがって、収束値予測部３４は、検出タイミングｔ（ｔ1〜ｔ3）の時間間隔が一定値Δｔの場合は、式（１６）を用いて、互いに異なる複数の検出タイミングｔで第１検出部１８が検出した複数の対地間電流Ｉｍから、対地間電流Ｉｍの収束値Ｃを予測（算出）することができる。これにより、収束値Ｃの算出処理（予測処理）が簡単になる。
【００８５】
なお、上記した例では、互いに異なる３つの検出タイミングｔで検出された３つの対地間電圧Ｖｍまたは対地間電流Ｉｍを用いて収束値Ｃを予測したが、互いに異なる４つ以上の検出タイミングｔで検出された４つ以上の対地間電圧Ｖｍまたは対地間電流Ｉｍを用いて収束値Ｃを予測してもよい。例えば、互いに異なる４つ以上の検出タイミングｔから任意の３つの検出タイミングｔを選んで収束値Ｃを予測してもよい。また、互いに異なる４つ以上の検出タイミングｔで検出された４つ以上の対地間電圧Ｖｍまたは対地間電流Ｉｍから、平均した値を３つ用意してもよい。このときは、平均した値に応じて検出タイミングｔを平均したタイミングを用いる。
【００８６】
このように、本実施の形態では、対地間電圧Ｖｍまたは対地間電流Ｉｍの収束値Ｃを予測するので、対地間電圧Ｖｍまたは対地間電流Ｉｍが収束する前に、収束値Ｃを予測することができる。したがって、モータＭの絶縁抵抗Ｒｍの測定にかかる時間を短縮することができる。
【００８７】
＜モータ駆動装置１０の動作＞
次に、モータ駆動装置１０による絶縁抵抗Ｒｍの測定動作を図７に示すフローチャートにしたがって説明する。ステップＳ１で、スイッチ制御部３２は、全てのインバータ部１６（１６ａ、１６ｂ、１６ｃ）の複数の半導体スイッチング素子Ｓ（Ｓｕｕ、Ｓｖｕ、Ｓｗｕ、Ｓｕｄ、Ｓｖｄ、Ｓｗｄ）を全てオフ状態にする。これにより、全てのモータＭ（Ｍ１〜Ｍ３）の運転が停止する。
【００８８】
次いで、ステップＳ２で、スイッチ制御部３２は、第１スイッチＳＷ１をオフにする。これにより、交流電源１２からモータ駆動装置１０への交流電圧の供給が遮断される。
【００８９】
次いで、ステップＳ３で、スイッチ制御部３２は、第２スイッチＳＷ２をオンにする。これにより、コンデンサＣａの負極側の端子（一方の端子）が大地と接続された状態になる。これにより、モータ駆動装置１０は、測定準備状態になり、このときの等価回路は、図２に示した状態になる。
【００９０】
次いで、ステップＳ４で、測定対象選択部３０は、複数のモータＭ（Ｍ１〜Ｍ３）のうち、いずれか１つのモータＭを測定対象として選択する。このとき、測定対象選択部３０は、測定対象として未だ選択されていないモータＭを測定対象として選択する。
【００９１】
次いで、ステップＳ５で、スイッチ制御部３２は、複数のインバータ部１６（１６ａ、１６ｂ、１６ｃ）の半導体スイッチング素子Ｓを制御することで、ステップＳ４で選択された測定対象のモータＭの絶縁抵抗Ｒｍを測定できる測定状態にする。
【００９２】
具体的には、スイッチ制御部３２は、測定対象のモータＭに接続されたインバータ部１６に関しては、コンデンサＣａの正極側の端子（他方の端子）と接続された上アームの半導体スイッチング素子Ｓをオンにする。また、スイッチ制御部３２は、測定対象以外のモータＭに接続されたインバータ部１６に関しては、コンデンサＣａの負極側の端子（一方の端子）と接続された下アームの半導体スイッチング素子Ｓをオンにする。これにより、例えば、測定対象のモータＭがモータＭ１の場合は、図２に示す等価回路は、図４に示すような状態となる。したがって、コンデンサＣａからの電流は、測定対象のモータＭ１の絶縁抵抗Ｒｍ１および検出抵抗ｒ１を流れてコンデンサＣａに戻る。
【００９３】
次いで、ステップＳ６で、収束値予測部３４は、互いに異なる複数の検出タイミングｔ（ｔ1〜ｔ3）で第１検出部１８が検出した複数の対地間電圧Ｖｍ（Ｖｍ1〜Ｖｍ3）または対地間電流Ｉｍ（Ｉｍ1〜Ｉｍ3）に基づいて、対地間電圧Ｖｍまたは対地間電流Ｉｍの収束値Ｃを予測する。具体的には、収束値予測部３４は、上記した式（６）または式（１４）を用いて、収束値Ｃを算出（予測）する。なお、収束値予測部３４は、複数の検出タイミングｔ（ｔ1〜ｔ3）の時間間隔が一定値Δｔの場合は、上記した式（８）または式（１６）を用いて、収束値Ｃを算出（予測）することができる。
【００９４】
次いで、ステップＳ７で、絶縁抵抗算出部３６は、収束値予測部３４が予測した収束値Ｃと、第２検出部２０が検出したコンデンサ電圧Ｖｃとに基づいて、測定対象のモータＭ１の絶縁抵抗Ｒｍを算出する。
【００９５】
次いで、ステップＳ８で、測定対象選択部３０は、全てのモータＭを測定対象として選択したか否かを判断する。つまり、測定対象選択部３０は、測定対象として選択していないモータＭがあるか否かを判断する。ステップＳ８で、全てのモータＭを測定対象として選択していない、つまり、測定対象として選択していないモータＭがあると判断された場合は、ステップＳ４に戻る。
【００９６】
ステップＳ８で、全てのモータＭを測定対象として選択したと判断されると、ステップＳ９に進み、スイッチ制御部３２は、第２スイッチＳＷ２をオフにするとともに、全てのインバータ部１６（１６ａ〜１６ｃ）の複数の半導体スイッチング素子Ｓを全てオフ状態にする。これにより、測定動作が終了する。
【００９７】
［変形例］
上記実施の形態は、以下に示すような変形も可能である。
【００９８】
＜変形例１＞
上記実施の形態では、コンデンサＣａの一方の端子を負極側の端子として説明したが、コンデンサＣａの一方の端子を正極側の端子としてもよい。この場合は、コンデンサＣａの正極側の端子は、第２スイッチＳＷ２を介して大地に接続され、検出抵抗ｒ１は、コンデンサＣａの正極側の端子（一方の端子）と大地との間で、第２スイッチＳＷ２と直列に接続される。この場合であっても、モータＭの絶縁抵抗Ｒｍを測定することができる。
【００９９】
＜変形例２＞
上記実施の形態では、絶縁抵抗算出部３６は、収束値予測部３４が一度予測した収束値Ｃを用いて、絶縁抵抗Ｒｍを算出した。しかし、収束値予測部３４が予測した収束値Ｃと実際の収束値Ｃとの間に乖離が生じている場合は、算出される絶縁抵抗Ｒｍは、本来の絶縁抵抗Ｒｍと異なるものになってしまう。
【０１００】
そこで、変形例２では、収束値予測部３４は、少なくとも２回収束値Ｃを予測（算出）し、前回の収束値Ｃと今回の収束値Ｃとの差ΔＣが基準値ＳＶより小さい場合は収束値Ｃの予測を終了し、差ΔＣが基準値ＳＶ以上の場合は収束値Ｃの予測を継続する。これにより、算出される収束値Ｃの信頼性が向上する。そして、絶縁抵抗算出部３６は、収束値Ｃの予測が終了すると、絶縁抵抗Ｒｍを算出する。
【０１０１】
具体的には、収束値予測部３４は、まず、互いに異なる複数の検出タイミングｔで第１検出部１８が検出した複数の対地間電圧Ｖｍまたは対地間電流Ｉｍに基づいて、対地間電圧Ｖｍまたは対地間電流Ｉｍの収束値Ｃを算出する。その後、収束値予測部３４は、前回の収束値Ｃの算出に用いた複数の対地間電圧Ｖｍまたは対地間電流Ｉｍの複数の検出タイミングｔのうち、少なくとも１つが異なる複数の検出タイミングｔで、第１検出部１８が検出した複数の対地間電圧Ｖｍまたは対地間電流Ｉｍに基づいて収束値Ｃを再度算出する。
【０１０２】
図８は、変形例２を説明するための図であり、第１検出部１８による対地間電圧Ｖｍまたは対地間電流Ｉｍの検出タイミングｔの一例を示す図である。例えば、収束値予測部３４は、最初に、検出タイミングｔA、ｔB、ｔCで検出された対地間電圧Ｖｍまたは対地間電流Ｉｍに基づいて、収束値Ｃを予測したとする。その後、収束値予測部３４は、検出タイミングｔB、ｔC、ｔDで検出された対地間電圧Ｖｍまたは対地間電流Ｉｍに基づいて、収束値Ｃを再度予測してもよいし、検出タイミングｔD、ｔE、ｔFで検出された対地間電圧Ｖｍまたは対地間電流Ｉｍに基づいて、収束値Ｃを再度予測してもよい。
【０１０３】
このように、収束値予測部３４は、再び収束値Ｃの予測をする場合は、前回の複数の検出タイミングｔのうち、少なくとも１つが異なる複数の検出タイミングｔで第１検出部１８が検出した対地間電圧Ｖｍまたは対地間電流Ｉｍに基づいて、収束値Ｃを予測すればよい。
【０１０４】
絶縁抵抗算出部３６は、収束値予測部３４で予測された複数の収束値Ｃのうち、最後に予測された収束値Ｃを用いて絶縁抵抗Ｒｍを算出することが好ましい。これにより、より高精度に絶縁抵抗Ｒｍを測定（算出）することができる。
【０１０５】
＜変形例３＞
上記変形例１、２を組み合わせた態様であってもよい。
【０１０６】
［実施の形態から得られる技術的思想］
上記実施の形態および変形例１〜３から把握しうる技術的思想について、以下に記載する。
【０１０７】
＜第１の技術的思想＞
複数のモータ（Ｍ）を駆動するモータ駆動装置（１０）は、第１スイッチ（ＳＷ１）を介して交流電源（１２）から供給される交流電圧を直流電圧に整流する整流回路（Ｒｅ）と、整流回路（Ｒｅ）で整流された直流電圧を平滑化するコンデンサ（Ｃａ）と、コンデンサ（Ｃａ）の正極側の端子とモータ（Ｍ）のモータコイル（Ｃｕ、Ｃｖ、Ｃｗ）とを接続する上アームの半導体スイッチング素子（Ｓ）と、コンデンサ（Ｃａ）の負極側の端子とモータコイル（Ｃｕ、Ｃｖ、Ｃｗ）とを接続する下アームの半導体スイッチング素子（Ｓ）とを有し、上アームの半導体スイッチング素子（Ｓ）および下アームの半導体スイッチング素子（Ｓ）のスイッチング動作により、コンデンサ（Ｃａ）のコンデンサ電圧（Ｖｃ）を交流電圧に変換して複数のモータ（Ｍ）を駆動する複数のインバータ部（１６）と、コンデンサ（Ｃａ）の正極側の端子および負極側の端子のうち一方の端子を大地に接続する第２スイッチ（ＳＷ２）と、コンデンサ（Ｃａ）の一方の端子と大地との間の対地間電流（Ｉｍ）または対地間電圧（Ｖｍ）を検出する第１検出部（１８）と、コンデンサ（Ｃａ）のコンデンサ電圧（Ｖｃ）を検出する第２検出部（２０）と、複数のインバータ部（１６）の各々の上アームの半導体スイッチング素子（Ｓ）および下アームの半導体スイッチング素子（Ｓ）をオフにして複数のモータ（Ｍ）の運転を停止し、第１スイッチ（ＳＷ１）をオフ、第２スイッチ（ＳＷ２）をオンにした後に、測定対象となるモータ（Ｍ）のモータコイル（Ｃｕ、Ｃｖ、Ｃｗ）が接続された上アームの半導体スイッチング素子（Ｓ）および下アームの半導体スイッチング素子（Ｓ）のうち、コンデンサ（Ｃａ）の他方の端子に接続されている方をオンにし、且つ、測定対象以外のモータ（Ｍ）のモータコイル（Ｃｕ、Ｃｖ、Ｃｗ）が接続された上アームの半導体スイッチング素子（Ｓ）および下アームの半導体スイッチング素子（Ｓ）のうち、コンデンサ（Ｃａ）の一方の端子に接続されている方をオンにさせて、測定対象となるモータ（Ｍ）の絶縁抵抗（Ｒｍ）を測定できる測定状態にするスイッチ制御部（３２）と、測定状態で、互いに異なる複数の検出タイミング（ｔ）で第１検出部（１８）が検出した複数の対地間電流（Ｉｍ）または対地間電圧（Ｖｍ）に基づいて、対地間電流（Ｉｍ）または対地間電圧（Ｖｍ）の収束値（Ｃ）を予測する収束値予測部（３４）と、収束値（Ｃ）と、コンデンサ電圧（Ｖｃ）とに基づいて、測定対象のモータ（Ｍ）の絶縁抵抗（Ｒｍ）を算出する絶縁抵抗算出部（３６）と、を備える。
【０１０８】
これにより、対地間電流（Ｉｍ）または対地間電圧（Ｖｍ）が収束する前に、対地間電流（Ｉｍ）または対地間電圧（Ｖｍ）の収束値（Ｃ）を予測することができる。したがって、モータ（Ｍ）の絶縁抵抗（Ｒｍ）の測定にかかる時間を短縮することができる。
【０１０９】
収束値予測部（３４）は、収束値（Ｃ）を予測した後に、前回の複数の検出タイミング（ｔ）のうち、少なくとも１つが異なる複数の検出タイミング（ｔ）で第１検出部（１８）が検出した複数の対地間電流（Ｉｍ）または対地間電圧（Ｖｍ）に基づいて、収束値（Ｃ）を再度予測し、前回の収束値（Ｃ）と今回の収束値（Ｃ）との差（ΔＣ）が基準値（ＳＶ）以上の場合は収束値（Ｃ）の予測を継続し、差（ΔＣ）が基準値（ＳＶ）より小さい場合は、収束値（Ｃ）の予測を終了してもよい。絶縁抵抗算出部（３６）は、収束値（Ｃ）の予測が終了した後に、絶縁抵抗（Ｒｍ）を算出してもよい。これにより、予測される収束値（Ｃ）の信頼性が向上する。
【０１１０】
絶縁抵抗算出部（３６）は、予測された複数の収束値（Ｃ）のうち、最後に予測された収束値（Ｃ）を用いて、絶縁抵抗（Ｒｍ）を算出してもよい。これにより、より高精度に絶縁抵抗（Ｒｍ）を測定（算出）することができる。
【０１１１】
収束値予測部（３４）は、上記した式（６）を用いて対地間電圧（Ｖｍ）の収束値（Ｃ）を算出してもよい。ただし、ｔ1、ｔ2、ｔ3は検出タイミング（ｔ）、Ｖｍ1、Ｖｍ2、Ｖｍ3は検出タイミングｔ1、ｔ2、ｔ3で検出された対地間電圧（Ｖｍ）、Ｃ0は予め決められた定数である。検出タイミングｔ1〜ｔ3は、ｔ1が最も早いタイミング、ｔ3が最も遅いタイミングである。これにより、高精度に対地間電圧（Ｖｍ）の収束値（Ｃ）を予測（算出）することができる。
【０１１２】
収束値予測部（３４）は、上記した式（８）を用いて対地間電圧（Ｖｍ）の収束値（Ｃ）を算出してもよい。ただし、Ｖｍ1、Ｖｍ2、Ｖｍ3は検出タイミングｔ1、ｔ2、ｔ3で検出された対地間電圧（Ｖｍ）である。検出タイミングｔ1〜ｔ3は、その時間間隔が一定値（Δｔ）であり、且つ、ｔ1が最も早いタイミング、ｔ3が最も遅いタイミングである。これにより、高精度に対地間電圧（Ｖｍ）の収束値（Ｃ）を予測（算出）することができるとともに、予測処理（算出処理）が簡単になる。
【０１１３】
収束値予測部（３４）は、上記した式（１４）を用いて対地間電流（Ｉｍ）の収束値（Ｃ）を算出してもよい。ただし、ｔ1、ｔ2、ｔ3は検出タイミング（ｔ）、Ｉｍ1、Ｉｍ2、Ｉｍ3は検出タイミングｔ1、ｔ2、ｔ3で検出された対地間電流（Ｉｍ）、Ｃ0は予め決められた定数である。検出タイミングｔ1〜ｔ3は、ｔ1が最も早いタイミング、ｔ3が最も遅いタイミングである。これにより、高精度に対地間電流（Ｉｍ）の収束値（Ｃ）を予測（算出）することができる。
【０１１４】
収束値予測部（３４）は、上記した式（１６）を用いて対地間電流（Ｉｍ）の収束値（Ｃ）を算出してもよい。ただし、Ｉｍ1、Ｉｍ2、Ｉｍ3は検出タイミングｔ1、ｔ2、ｔ3で検出された対地間電流（Ｉｍ）である。検出タイミングｔ1〜ｔ3は、その時間間隔が一定値（Δｔ）であり、且つ、ｔ1が最も早いタイミング、ｔ3が最も遅いタイミングである。これにより、高精度に対地間電流（Ｉｍ）の収束値（Ｃ）を予測（算出）することができるとともに、予測処理（算出処理）が簡単になる。
【０１１５】
＜第２の技術的思想＞
複数のモータ（Ｍ）を駆動するモータ駆動装置（１０）がモータ（Ｍ）の絶縁抵抗（Ｒｍ）を測定する測定方法である。モータ駆動装置（１０）は、第１スイッチ（ＳＷ１）を介して交流電源（１２）から供給される交流電圧を直流電圧に整流する整流回路（Ｒｅ）と、整流回路（Ｒｅ）で整流された直流電圧を平滑化するコンデンサ（Ｃａ）と、コンデンサ（Ｃａ）の正極側の端子とモータ（Ｍ）のモータコイル（Ｃｕ、Ｃｖ、Ｃｗ）とを接続する上アームの半導体スイッチング素子（Ｓ）と、コンデンサ（Ｃａ）の負極側の端子とモータコイル（Ｃｕ、Ｃｖ、Ｃｗ）とを接続する下アームの半導体スイッチング素子（Ｓ）とを有し、上アームの半導体スイッチング素子（Ｓ）および下アームの半導体スイッチング素子（Ｓ）のスイッチング動作により、コンデンサ（Ｃａ）のコンデンサ電圧（Ｖｃ）を交流電圧に変換して複数のモータ（Ｍ）を駆動する複数のインバータ部（１６）と、コンデンサ（Ｃａ）の正極側の端子および負極側の端子のうち一方の端子を大地に接続する第２スイッチ（ＳＷ２）と、コンデンサ（Ｃａ）の一方の端子と大地との間の対地間電流（Ｉｍ）または対地間電圧（Ｖｍ）を検出する第１検出部（１８）と、コンデンサ（Ｃａ）のコンデンサ電圧（Ｖｃ）を検出する第２検出部（２０）と、を備える。測定方法は、複数のインバータ部（１６）の各々の上アームの半導体スイッチング素子（Ｓ）および下アームの半導体スイッチング素子（Ｓ）をオフにして複数のモータ（Ｍ）の運転を停止し、第１スイッチ（ＳＷ１）をオフ、第２スイッチ（ＳＷ２）をオンにした後に、測定対象となるモータ（Ｍ）のモータコイル（Ｃｕ、Ｃｖ、Ｃｗ）が接続された上アームの半導体スイッチング素子（Ｓ）および下アームの半導体スイッチング素子（Ｓ）のうち、コンデンサ（Ｃａ）の他方の端子に接続されている方をオンにし、且つ、測定対象以外のモータ（Ｍ）のモータコイル（Ｃｕ、Ｃｖ、Ｃｗ）が接続された上アームの半導体スイッチング素子（Ｓ）および下アームの半導体スイッチング素子（Ｓ）のうち、コンデンサ（Ｃａ）の一方の端子に接続されている方をオンにさせて、測定対象となるモータ（Ｍ）の絶縁抵抗（Ｒｍ）を測定できる測定状態にするスイッチ制御ステップと、測定状態で、互いに異なる複数の検出タイミング（ｔ）で第１検出部（１８）が検出した複数の対地間電流（Ｉｍ）または対地間電圧（Ｖｍ）に基づいて、対地間電流（Ｉｍ）または対地間電圧（Ｖｍ）の収束値（Ｃ）を予測する収束値予測ステップと、収束値（Ｃ）と、コンデンサ電圧（Ｖｃ）とに基づいて、測定対象のモータ（Ｍ）の絶縁抵抗（Ｒｍ）を算出する絶縁抵抗算出ステップと、を含む。
【０１１６】
これにより、対地間電流（Ｉｍ）または対地間電圧（Ｖｍ）が収束する前に、対地間電流（Ｉｍ）または対地間電圧（Ｖｍ）の収束値（Ｃ）を予測することができる。したがって、モータ（Ｍ）の絶縁抵抗（Ｒｍ）の測定にかかる時間を短縮することができる。
【０１１７】
収束値予測ステップは、収束値（Ｃ）を予測した後に、前回の複数の検出タイミング（ｔ）のうち、少なくとも１つが異なる複数の検出タイミング（ｔ）で第１検出部（１８）が検出した複数の対地間電流（Ｉｍ）または対地間電圧（Ｖｍ）に基づいて、収束値（Ｃ）を再度予測し、前回の収束値（Ｃ）と今回の収束値（Ｃ）との差（ΔＣ）が基準値（ＳＶ）以上の場合は収束値（Ｃ）の予測を継続し、差（ΔＣ）が基準値（ＳＶ）より小さい場合は、収束値（Ｃ）の予測を終了してもよい。絶縁抵抗算出ステップは、収束値（Ｃ）の予測が終了した後に、絶縁抵抗（Ｒｍ）を算出してもよい。これにより、予測される収束値（Ｃ）の信頼性が向上する。
【０１１８】
絶縁抵抗算出ステップは、予測された複数の収束値（Ｃ）のうち、最後に予測された収束値（Ｃ）を用いて、絶縁抵抗（Ｒｍ）を算出してもよい。これにより、より高精度に絶縁抵抗（Ｒｍ）を測定（算出）することができる。
【０１１９】
収束値予測ステップは、上記した式（６）を用いて対地間電圧（Ｖｍ）の収束値（Ｃ）を算出してもよい。ただし、ｔ1、ｔ2、ｔ3は検出タイミング（ｔ）、Ｖｍ1、Ｖｍ2、Ｖｍ3は検出タイミングｔ1、ｔ2、ｔ3で検出された対地間電圧（Ｖｍ）、Ｃ0は予め決められた定数である。検出タイミングｔ1〜ｔ3は、ｔ1が最も早いタイミング、ｔ3が最も遅いタイミングである。これにより、高精度に対地間電圧（Ｖｍ）の収束値（Ｃ）を予測（算出）することができる。
【０１２０】
収束値予測ステップは、上記した式（８）を用いて対地間電圧（Ｖｍ）の収束値（Ｃ）を算出してもよい。ただし、Ｖｍ1、Ｖｍ2、Ｖｍ3は検出タイミングｔ1、ｔ2、ｔ3で検出された対地間電圧（Ｖｍ）である。検出タイミングｔ1〜ｔ3は、その時間間隔が一定値（Δｔ）であり、且つ、ｔ1が最も早いタイミング、ｔ3が最も遅いタイミングである。これにより、高精度に対地間電圧（Ｖｍ）の収束値（Ｃ）を予測（算出）することができるとともに、予測処理（算出処理）が簡単になる。
【０１２１】
収束値予測ステップは、上記した式（１４）を用いて対地間電流（Ｉｍ）の収束値（Ｃ）を算出してもよい。ただし、ｔ1、ｔ2、ｔ3は検出タイミング（ｔ）、Ｉｍ1、Ｉｍ2、Ｉｍ3は検出タイミングｔ1、ｔ2、ｔ3で検出された対地間電流（Ｉｍ）、Ｃ0は予め決められた定数である。検出タイミングｔ1〜ｔ3は、ｔ1が最も早いタイミング、ｔ3が最も遅いタイミングである。これにより、高精度に対地間電流（Ｉｍ）の収束値（Ｃ）を予測（算出）することができる。
【０１２２】
収束値予測ステップは、上記した式（１６）を用いて対地間電流（Ｉｍ）の収束値（Ｃ）を算出してもよい。ただし、Ｉｍ1、Ｉｍ2、Ｉｍ3は検出タイミングｔ1、ｔ2、ｔ3で検出された対地間電流（Ｉｍ）である。検出タイミングｔ1〜ｔ3は、その時間間隔が一定値（Δｔ）であり、且つ、ｔ1が最も早いタイミング、ｔ3が最も遅いタイミングである。これにより、高精度に対地間電流（Ｉｍ）の収束値（Ｃ）を予測（算出）することができるとともに、予測処理（算出処理）が簡単になる。
【符号の説明】
【０１２３】
１０…モータ駆動装置                    １２…交流電源
１４…コンバータ部                      １６（１６ａ〜１６ｃ）…インバータ部
１８…第１検出部                        ２０…第２検出部
２２…制御部                            ３０…測定対象選択部
３２…スイッチ制御部                    ３４…収束値予測部
３６…絶縁抵抗算出部                    Ｃａ…コンデンサ
Ｃｕ、Ｃｖ、Ｃｗ…モータコイル          Ｉｍ…対地間電流
Ｍ（Ｍ１〜Ｍ３）…モータ                ｒ１、ｒ２…検出抵抗
Ｒｅ…整流回路                          Ｒｍ（Ｒｍ１〜Ｒｍ３）…絶縁抵抗
Ｓ（Ｓｕｕ、Ｓｖｕ、Ｓｗｕ、Ｓｕｄ、Ｓｖｄ、Ｓｗｄ）…半導体スイッチング素子
ＳＷ１…第１スイッチ                    ＳＷ２…第２スイッチ
Ｖｍ…対地間電圧
【図１】
2019095396.tif 000023
【図２】
2019095396.tif 000024
【図３】
2019095396.tif 000025
【図４】
2019095396.tif 000026
【図５】
2019095396.tif 000027
【図６】
2019095396.tif 000028
【図７】
2019095396.tif 000029
【図８】
2019095396.tif 000030